(57)【要約】【課題】棚の戸のオープン或いはクローズを通じて機構を動かして発光素子を自動的に起動することで照明効果を生じさせ、かつ、照明器具構造の電力消費状況を節約し、さらに、電池を電力源と使用する照明器具構造を提供することで、前記照明器具構造の取り付けの利便性を増進させる。【解決手段】照明器具構造として、主に棚内部に取り付けられ、棚の戸の開きを利用して照明器具構造の電気ループを導通させ、逆に棚の戸の閉めにより照明器具構造の電気ループを断路状態にさせ、電気ループが導通する時、前記照明器具構造の発光部は光線を発し、前記棚の内部が前記光線によって照明させることで、棚内部物品の陳列位置が見えるようにする。【選択図】    図１
0003137473.tif 000002
【実用新案登録請求の範囲】
【請求項１】
一種の照明器具構造であって、
中空部の筐体構造を含み、局部表面に前記中空部まで貫通する開口部を具備するケース体と、
複数個の発光素子を含み、且つ、これら発光素子は前記ケース体表面に設置される発光部と、
電力供給部で、主に全体の電力源となる電力供給部と、
主に前記発光部と前記電力供給部の間の電気ループを電気的に接続し、且つ、第１電気接点と第２電気接点を含み、前記第１電気接点と第２電気接点の間が断路状態とする電気ループ部と、
前記ケース体の内部に設置され、且つ、第１位置と第２位置の間に制限され、且つ、その局部表面に前記第１電気接点と前記第２電気接点の導電体に対応する導電部材と一端が前記摺動部材に接続し、且つ、他端が前記開口部に延伸して貫通、並びに、前記ケース体表面から突出する延伸部を具備する摺動部材、及び、
弾性復帰力を具備した機構素子で、且つ、その一端が前記ケース体に設置され、他端が前記摺動部材に固装する弾性素子を含み、
前記摺動部材の前記導電部材が前記第１電気接点と前記第２電気接点の間を断路状態、又は、導通状態のいずれかの状態を選択でき、且つ、前記導電部材が前記第１電気接点と前記第２電気接点に電気的に接続した時が導通状態で、前記導電部材が前記第１電気接点と前記第２電気接点から外れた時が断路状態で、前記第１位置は前記摺動部材が選択する断路状態に対応し、且つ、前記第２位置は前記摺動部材が選択する導通状態に対応している。及び、前記摺動部材の延伸部の前記ケース体表面から突出する位置が前記摺動部材の第１位置と第２位置のいずれかの位置に対応することを特徴とする、照明器具構造。
【請求項２】
請求項１記載の照明器具構造において、前記電力供給部は、前記ケース体の内部に設置されていることを特徴とする、照明器具構造。
【請求項３】
請求項２記載の照明器具構造において、前記電力供給部は、電池台を含むことを特徴とする、照明器具構造。
【請求項４】
請求項１記載の照明器具構造において、前記ケース体内で平行の両凸条を設置でき、前記摺動部材が前記両凸条に間に挟まれ、且つ、前記両凸条は前記延伸部と平行となることを特徴とする、照明器具構造。
【請求項５】
請求項４記載の照明器具構造において、前記摺動部材と前記弾性素子が接触する面から延伸して凸起部を具備し、前記凸起部の延伸方向が前記凸条と平行となることを特徴とする、照明器具構造。
【請求項６】
請求項５記載の照明器具構造において、前記弾性素子がばねであることを特徴とする、照明器具構造。
【請求項７】
請求項１記載の照明器具構造において、前記延伸部は延伸棒と係止材を含み、前記延伸棒の一端が前記摺動部材の前記導電部材を具備する前記側面に連結し、前記係止材が円板状の態様で、前記延伸棒の他端が前記係止材の側表面と接触することを特徴とする、照明器具構造。
【請求項８】
請求項１記載の照明器具構造において、前記第１電気接点と前記第２電気接点がいずれも電極板であることを特徴とする、照明器具構造。
【請求項９】
請求項１記載の照明器具構造において、これら発光素子の発光エリアは蓋付で、色のある透光体であることを特徴とする、照明器具構造。
【請求項１０】
請求項１記載の照明器具構造において、これら発光素子の発光エリアは蓋付で光学透光構造を具えた透光体であることを特徴とする、照明器具構造。
【考案の詳細な説明】
【技術分野】
【０００１】
本考案は、照明器具構造に関り、特に、棚の内部に取り付ける照明器具構造に関る。
【背景技術】
【０００２】
現在、生活は益々便利となり、人々の生活における衣食住・交通を問わず、顕著な進歩があるが、まだまだ人々の底なしの欲望を満たすことができず、速やかにその問題点を解決するため、やはり人々に生活上の不便を与えるものを努力して見つけ出している。家庭内或いは会社にも多少物を置ける棚を設置し、また前記棚のある棚は光線が不足する場所に設置され、また通常これら棚の大部分にも照明設備が無く、且つ照明設備付き棚の価格は通常より少し高く、しかもある種の棚は外付けコンセントがあってこそ照明設備を使用することができ、これによりその実用性は非常に低くなっている。これに鑑み、本考案者は研究設計し、即ち絶え間ない改修により本考案に至った。
【考案の開示】
【考案が解決しようとする課題】
【０００３】
本考案の主な目的は、機構形態を提供し、また棚の戸のオープン或いはクローズを通じて前記機構を動かすと、非電気検出方法を介して発光素子を自動的に起動することで照明効果を生じ、且つ照明器具構造の電力消費状況を節約できる。
【０００４】
本考案の別の目的は、電池を電力源と使用する照明器具構造を提供することで、前記照明器具構造の取り付けの利便性を増進させることができることにある。
【課題を解決するための手段】
【０００５】
上記目的を達成するため、本考案には、中空部の筐体構造を含み、局部表面に前記中空部まで貫通する開口部を具備するケース体と、複数個の発光素子を含み、且つこれら発光素子は前記ケース体表面上に設置される発光部と、電力供給部で、主に全体の電力源となる電力供給部と、主に前記発光部と前記電力供給部の間の電気ループを電気的に接続し、且つ第１電気接点と第２電気接点を含み、前記第１電気接点と第２電気接点の間が断路状態とする電気ループ部と、前記ケース体の内部に設置され、且つ第１位置と第２位置の間に制限され、且つその局部表面に前記第１電気接点と前記第２電気接点の導電体に対応する導電部材と一端が前記摺動部材に接続し、且つ他端が前記開口部に延伸して貫通並びに前記ケース体表面から突出する延伸部を具備する摺動部材、及び弾性復帰力を具備した機構素子で、且つその一端が前記ケース体に設置され、他端が前記摺動部材に固装する弾性素子を含む。前記摺動部材の前記導電部材が前記第１電気接点と前記第２電気接点の間を断路状態又は導通状態のいずれかの状態を選択でき、且つ前記導電部材が前記第１電気接点と前記第２電気接点に電気的に接続した時が導通状態で、前記導電部材が前記第１電気接点と前記第２電気接点から外れた時が断路状態で、前記第１位置は前記摺動部材が選択する断路状態に対応し、且つ前記第２位置は前記摺動部材が選択する導通状態に対応している。及び前記摺動部材の延伸部の前記ケース体表面から突出する位置が前記摺動部材の第１位置と第２位置のいずれかの位置に対応することで、前記発光素子は通電により光線を発して照明するかどうかを決定する。
【０００６】
当該技術を熟知する者に本発明の目的、特徴及び効果について理解していただくため、下記の具体的な実施例を介し付属の図面を組み合わせることで、本発明に対する詳細な説明を後記のとおり行うものである。
【０００７】
図１から図7に示すように、本考案はケース体１０、発光部２０、電力供給部３０、電気ループ部４０（図５に示す）、摺動部材５１及び弾性素子５２を含む照明器具構造１で、以下に本考案の実施例を詳細に記述する。
【０００８】
前記の本考案の照明器具構造１内において、前記ケース体１０は主に両側面に開口を具えた中空部１００の筐体構造で、その両側開口の面に各々上蓋１１及び下蓋１２を具備し、前記上蓋１１及び前記下蓋１２は前記ケース体１０の両側開口をカバーすることができ、前記ケース体１０の一端の表面に開口部１３を具備し、前記開口部１３が前記ケース体１０の中空部１００から前記ケース体１０の外部まで貫通する。
【０００９】
前記の本考案の照明器具構造１において、前記発光部２０は複数個の発光素子２２を含み、これら発光素子２２はLED（発光ダイオード）或いは直流電源により駆動できる任意の光源とすることができ、且つこれら発光素子２２は前記ケース体１０内に設置し、並びに照明用途として提供するため、その発光部分が前記ケース体１０の局部表面上に露出される。更に、各発光素子２２の発光エリアは顔色を具えた透光体がパッケージとなり、前記発光素子２２が前記透光体色に対応する光を発すことができ、且つ各発光素子２２のパッケージ体は光学透光構造を形成し、これら発光素子２２が出射する光路は調整を受けて集光或いは光均一化の効果を発生させることができる。その他、前記発光素子２２も表面に蓋付きの色がついた透光体或いは光学透光構造を具備する透光体で、対応色を具備する光を発すことに至り、若しくは集光又は光均一化の効果を発生させることができる。
【００１０】
前記の本考案の照明器具構造１において、前記電力供給部３０は照明器具構造１が要する電力源で、且つ具体的に言うと、本考案の電力供給部３０が提供する具体的な実施例は、前記電力供給部３０を前記ケース体１０の内部に取り付け、且つ前記電力供給部３０には電池台を含み、また一般的な電池（図内に未表示）を利用してその電力源とすることができる。その他、前記電力供給部３０も前記ケース体１０の外部の電力源とすることができ、具体的に言うと、前記電力供給部３０は外付け電池パック或いは商用電力系統に電気的に接続できる変圧器で、且つ電気的な接続を通じて前記電力供給部３０が提供する電力を前記電気ループ部４０内へ誘導することで、前記発光部２０が要する電力を提供できる。
【００１１】
前記の本考案の照明器具構造１において、前記電気ループ部４０は主に前記発光部２０と前記電力供給部３０の間の電気ループに電気的に接続し、且つ前記電気ループ部４０内には第１電気接点４２及び第２電気接点４４を含み、前記第１電気接点４２と前記第２電気接点４４の間を断路状態にする。
【００１２】
その他、前記第１電気接点４２と前記第２電気接点４４は、各々導電特性を具備する板体で、前記板体は導電材質からなる、或いは非導電材質の基板上にレイアウトされた導電材質からなる。
【００１３】
前記の本考案の照明器具構造１において、前記摺動部材５１は前記ケース体１０の中空部１００内部に設置され、且つ第１位置（図６に表示）と第２位置（図7に表示）の間で制限され、且つ前記摺動部材５１の側面が導電部材５３と延伸部５４を具備し、前記導電部材５３は前記第１電気接点４２と前記第２電気接点４４の導電体に対応し、前記延伸部５４は延伸棒５４０及び係止材５４２を含み、前記延伸棒５４０の一端が前記摺動部材５１の前記導電部材５３を具えた前記側面に連結し、前記係止材５４２が円板状の態様で、また前記延伸棒５４０の他端が前記係止材５４２の側表面と接触し、前記摺動部材の第１位置の箇所において、前記係止材５４２が前記開口部１３に移動して押し込まれた状態に対応し、且つ前記摺動部材の第２位置の箇所において、前記係止材５４２が前記開口部１３から移動突出する状態に対応する。更に、前記弾性素子５２の作用において、前記係止材５４２の位置状態が前記摺動部材５１の位置を直接動かすことで、スライド機構を形成でき、従って前記導電部材５３と前記第１電気接点４２及び第２電気接点４４が相互に接触することを選択して前記電気ループ部４０を電気導通状態に形成させることができる、若しくは前記導電部材５３が前記第１電気接点４２及び第２電気接点４４から外れることを選択して前記電気ループ部４０の電気断路状態を形成させることができる。
【００１４】
その他、前記ケース体１０内で平行する両凸条１４、１５を設けることができ、前記摺動部材５１が前記両凸条１４、１５の間に挟まれ、且つ前記両凸条１４、１５が前記延伸棒５４０と平行となり、前記両凸条１４、１５は主に前記摺動部材５１がその平行する方向に沿って前記第１位置及び前記第２位置間の往復移動を制限できる。
【００１５】
前記弾性素子５１は、例えば弾性復帰力を備えたばねのような機構素子で、且つ前記弾性素子５１の一端を前記ケース体１０上の当接材１６に設置し、他端を前記摺動部材５１上の凸起部５５に固装する。
【００１６】
前記の本考案の照明器具構造１に基づき、前記摺動部材５１の導電部材５３は前記第１電気接点４２と前記第２電気接点４４の間が断路状態又は導通状態のいずれかの状態を選択でき、且つ前記導電部材５３が前記第１電気接点４２と前記第２電気接点４４に電気的に接続することが導通状態で、前記導電部材５３が前記第１電気接点４２と前記第２電気接点４４から外れることが断路状態である。前記第１位置は前記摺動部材５１が選択する断路状態に対応し、且つ前記第２位置は前記摺動部材５１が選択する導通状態に対応する。及び前記係止材５４２の前記ケース体１０表面から突出する位置が前記摺動部材５１の第１位置と第２位置の間のいずれかの位置に対応する。
【００１７】
更に図６及び図７について、図６と図７は本考案の照明器具構造１を棚に組み合わせた後の第１位置と第２位置の見取図で、前記照明器具構造１は棚６０の内部に取り付けられ、その取り付け方法とはネジで棚内部に螺合でき、若しくは棚内部（本考案の特徴ではないので、詳述しない）に粘着することができる。前記棚６０に取り付ける時、前記ケース体１０の開口部１３は前記棚６０の外部空間に向かい、また前記ケース体１０の前記発光部２０を設けた面は前記棚６０の内部空間に向かい、前記棚６０の戸板６２が前記棚６０をクローズ状態する時、前記戸板６２は前記係止材５４２を押すことで、前記延伸棒５４０と前記摺動部材５１をいずれもケース体１０内部に向かって移動させるため、所定の第２位置に至らせることができる。前記弾性素子５２も押されて圧縮することで、摺動部材５１上の前記導電部材５３を前記第１電気接点４２と前記第２電気接点４４から外れて、回路断路の現象にさせることができ、前記発光部２０が光線を発することがない。逆に、もしも前記棚６０をオープンにした際、前記戸板６２が前記係止材５４２に力を掛けることができず、前記弾性素子５２は弾性復帰力を放出して前記摺動部材５１に押すと共に前記係止材５４２を前記開口部１３から突出することで、前記摺動部材５１を所定の第１位置までに移動させるため、更に一歩進んで前記導電部５３を前記第１電気接点４２及び前記第２電気接点４４と接触させることができ、この場合、全体の回路が導通状態となり、前記発光部２０が光線を発して前記棚６０の内部空間を照らすことができる。
【００１８】
そのため、本考案で提供する照明器具構造は、利用者に棚内部空間を照明できる照明器具構造であり、これにより本考案は極めて進歩性を有するものであり、十分に法で定められた特許請求の要件に符合するものであり、法に基づきここに申請を行う。審査委員の皆様の詳細なる審査を受け、一日も早く登録していただくよう切に願います。
【００１９】
以上、本考案の好適な実施例につき説明したが、本考案は前述した実施例に限定されることなく、本考案の精神を逸脱しない範囲内において種々の改良変更をなし得ることは勿論である。
【図面の簡単な説明】
【００２０】
【図１】本考案の照明器具構造の立体分解見取図１である。
【図２】本考案の照明器具構造の立体分解見取図２である。
【図３】本考案の照明器具構造の立体組合せの見取図１である。
【図４】本考案の照明器具構造の立体組合せの見取図２である。
【図５】本考案の照明器具構造の電気ループの見取図である。
【図６】本考案の照明器具構造を棚に取り付けた後の第１位置における見取図である。
【図７】本考案の照明器具構造を棚に取り付けた後の第２位置における見取図である。
【符号の説明】
【００２１】
１    照明器具構造
１０  ケース体
１００中空部
１１  上蓋
１２  下蓋
１３  開口部
１４、１５凸条
１６  当接材
２０  発光部
２２  発光素子
３０  電力供給部
４０  電気ループ部
４２  第１電気接点
４４  第２電気接点
５１  摺動部材
５２  弾性素子
５３  導電部材
５４  延伸部
５４０延伸棒
５４２係止材
６０  棚
６２  戸板
【図１】
0003137473.tif 000003
【図２】
0003137473.tif 000004
【図３】
0003137473.tif 000005
【図４】
0003137473.tif 000006
【図５】
0003137473.tif 000007
【図６】
0003137473.tif 000008
【図７】
0003137473.tif 000009